【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
上方付勢状態で押し下げ可能なステム（１１）を上面より突出し、該ステム（１１）の押し下げにより収納液がステム（１１）より泡状或いは粘性液状に吐出する如く構成した一対の第１吐出用容器（Ａ１）及び第２吐出用容器（Ａ２）と、前記各吐出用容器を跨いで嵌着固定するとともに、前記各吐出用容器内の二液を吐出する吐出具（Ｂ）とを備え、吐出具（Ｂ）は、第１吐出用容器（Ａ１）内及び第２吐出用容器（Ａ２）内と連通し且つノズル（４１）を有する吐出ヘッド（Ｂ３）を備え、吐出ヘッド（Ｂ３）の押し下げにより前記各吐出用容器体内の液がノズル（４１）を介して吐出される二液吐出器であって、各吐出用容器体からの液を、少なくともノズル基端部において第１液層（Ｌ１）の上面を第２液層（Ｌ２）が被覆する層構成を備えた断面パターンで、ノズル（４１）から吐出する液誘導機構を吐出ヘッド（Ｂ３）内に備えていることを特徴とする二液吐出器。
【請求項２】
上記ノズル基端部には、前記各吐出用容器体内の液を排出する穴部からノズル出口方向に伸びて、第１液層と第２液層を仕切る仕切壁を備えていることを特徴とする請求項１記載の二液吐出器。
【請求項３】
上記断面パターンが、第１液層（Ｌ１）と、第１液層（Ｌ１）上に積層された同横幅の第２液層（Ｌ２）で構成されている断面パターンである請求項１記載の二液吐出器。
【請求項４】
上記吐出ヘッド（Ｂ３）が、第１吐出用容器（Ａ１）の第１ステム（１１a ）に嵌合させた第１ステム嵌着筒（４２）と、第２吐出用容器（Ａ２）の第２ステム（１１b ）に嵌合させた第２ステム嵌着筒（４３）とをケーシング（４０）より垂設するとともに、ケーシング（４０）前面にノズル（４１）を突設してなり、上記液誘導機構を、ケーシング（４０）内を第１液用分割室（４６）と第２液用分割室（４７）とに右左に二分割するとともに、ノズル（４１）内基端部を上下に二分割し、第１液用分割室（４６）からノズル（４１）内下方の分割区画に連通する第１透孔（４９）と、第２液用分割室（４７）からノズル（４１）内上方の分割区画に連通する第２透孔（５０）とを穿設して構成した請求項１又は３記載の二液吐出器。
【請求項５】
上記ノズル基端部には、前記各吐出用容器体内の液を排出する穴部からノズル出口方向に伸びて、第１液層と第２液層を仕切る仕切壁を備えていることを特徴とする請求項４記載の二液吐出器。
【請求項６】
上記吐出ヘッド（Ｂ３）が、第１吐出用容器（Ａ１）の第１ステム（１１a ）に嵌合させた第１ステム嵌着筒（４２）と、第２吐出用容器（Ａ２）の第２ステム（１１b ）に嵌合させた第２ステム嵌着筒（４３）とをケーシング（４０）より垂設するとともに、ケーシング（４０）前面にノズル（４１）を突設してなり、上記液誘導機構が、ケーシング（４０）内中央部を前後に縦断し、且つ、下部縦壁（５２）の上端より延設した横壁（５３）の他端縁より上部縦壁（５４）を立設した断面構造をなす仕切壁（４５ａ）により、第１液用分割室（４６）と第２液用分割室（４７）とに右左に二分割し、横壁（５３）の下方空間の先端をノズル（４１）基端下部に連通し、横壁（５３）の上方空間の先端を、ノズル（４１）基端上部に連通して構成した請求項１又は３記載の二液吐出器。
【請求項７】
上記吐出ヘッド（Ｂ３）が、第１吐出用容器（Ａ１）の第１ステム（１１a ）に嵌合させた第１ステム嵌着筒（４２）と、第２吐出用容器（Ａ２）の第２ステム（１１b ）に嵌合させた第２ステム嵌着筒（４３）とをケーシング（４０）より垂設するとともに、ケーシング（４０）前面にノズル（４１）を突設してなり、上記液誘導機構が、ノズル（４１）後方のケーシング内前端部に下方の第１液供給室（５５）と上方の第２液供給室（５６）を画成し、各供給室以外のケーシング（４０）内を第１液用分割室（４６）と第２液用分割室（４７）とに右左に分割し、第１液用分割室（４６）と第１液供給室（５５）とを連通させるとともに、第２液用分割室（４７）と第２液供給室（５６）とを連通させ、第１液供給室（５５）の先端をノズル（４１）基端下部に開口し、第２液供給室（５６）の先端をノズル（４１）基端上部に開口して構成した請求項１又は３記載の二液吐出器。
【請求項８】
上記断面パターンが、第１液層（Ｌ１）と、第１液層（Ｌ１）の上面及び両側面を被覆する第２液層（Ｌ２）で構成されている断面パターンである請求項１記載の二液吐出器。
【請求項９】
上記吐出ヘッド（Ｂ３）が、第１吐出用容器（Ａ１）の第１ステム（１１a ）に嵌合させた第１ステム嵌着筒（４２）と、第２吐出用容器（Ａ２）の第２ステム（１１b ）に嵌合させた第２ステム嵌着筒（４３）とをケーシング（４０）より垂設するとともに、ケーシング（４０）前面にノズル（４１）を突設してなり、上記液誘導機構が、ノズル（４１）後方のケーシング内前端部に下方の第１液供給室（５５）と上方の第２液供給室（５６）を画成し、各供給室以外のケーシング（４０）内を第１液用分割室（４６）と第２液用分割室（４７）とに右左に分割し、第１液用分割室（４６）と第１液供給室（５５）とを連通させるとともに、第２液用分割室（４７）と第２液供給室（５６）とを連通させ、第１液供給室（５５）の先端にノズル（４１）内に連通する第１透孔（４９）を、第２液供給室（５６）の先端にノズル（４１）内に連通する第２透孔（５０）をそれぞれ穿設し、第１透孔（４９）は第２透孔（５０）の中央下方位置に小幅に穿設して構成した請求項８記載の二液吐出器。
【請求項１０】
上記断面パターンが、第１液層（Ｌ１）と、第１液層（Ｌ１）の上下左右を囲繞する第２液層（Ｌ２）とで構成されている断面パターンである請求項１記載の二液吐出器。
【請求項１１】
上記吐出ヘッド（Ｂ３）が、第１吐出用容器（Ａ１）の第１ステム（１１a ）に嵌合させた第１ステム嵌着筒（４２）と、第２吐出用容器（Ａ２）の第２ステム（１１b ）に嵌合させた第２ステム嵌着筒（４３）とをケーシング（４０）より垂設するとともに、ケーシング（４０）前面にノズル（４１）を突設してなり、上記液誘導機構が、ケーシング（４０）内中央部に、後方へ延びる前部前後方向壁（６０）と、前部前後方向壁（６０）の後縁より左横方向に延びる横方向壁（６１）と、横方向壁（６１）の他端縁より後方へ延びる後部前後方向壁（６２）とからなる仕切壁（４５ｃ）を設けて、ケーシング（４０）内を第１液用分割室（４６）と第２液用分割室（４７）とに二分割し、横方向壁（６１）中央部に第１液用分割室（４６）から第２液用分割室（４７）に液を吐出する吐出孔（６３）を穿設し、吐出孔（６３）前方にノズル（４１）内に連通する透孔（６４）を穿設して構成した請求項１０記載の二液吐出器。
【手続補正２】
【補正対象書類名】明細書
【補正対象項目名】０００８
【補正方法】変更
【補正の内容】
【０００８】
第１の手段として、以下の通り構成した。即ち、上方付勢状態で押し下げ可能なステム11を上面より突出し、該ステム11の押し下げにより収納液がステム11より泡状或いは粘性液状に吐出する如く構成した一対の第１吐出用容器A1及び第２吐出用容器A2と、前記各吐出用容器を跨いで嵌着固定するとともに、前記各吐出用容器内の二液を吐出する吐出具Ｂとを備え、吐出具Ｂは、第１吐出用容器体A1内及び第２吐出用容器A2内と連通し且つノズル41を有する吐出ヘッドB3を備え、吐出ヘッドB3の押し下げにより前記各吐出用容器体内の液がノズル41を介して吐出される二液吐出器であって、各吐出用容器体からの液を、少なくともノズル基端部において第１液層L1の上面を第２液層L2が被覆する層構成を備えた断面パターンで、ノズル41から吐出する液誘導機構を吐出ヘッドB3内に備えている。上記ノズル基端部には、前記各吐出用容器体内の液を排出する穴部からノズル出口方向に伸びて、第１液層と第２液層を仕切る仕切壁を備えている。
【手続補正３】
【補正対象書類名】明細書
【補正対象項目名】００１０
【補正方法】変更
【補正の内容】
【００１０】
第３の手段として、以下の通り構成した。即ち、前記第２の手段に於いて、上記吐出ヘッドB3が、第１吐出用容器A1の第１ステム11a に嵌合させた第１ステム嵌着筒42と、第２吐出用容器A2の第２ステム11b に嵌合させた第２ステム嵌着筒43とをケーシング40より垂設するとともに、ケーシング40前面にノズル41を突設してなり、上記液誘導機構を、ケーシング40内を第１液用分割室46と第２液用分割室47とに右左に二分割するとともに、ノズル41内基端部を上下に二分割し、第１液用分割室46からノズル41内下方の分割区画に連通する第１透孔49と、第２液用分割室47からノズル41内上方の分割区画に連通する第２透孔50とを穿設して構成した。上記ノズル基端部には、前記各吐出用容器体内の液を排出する穴部からノズル出口方向に伸びて、第１液層と第２液層を仕切る仕切壁を備えている。